(57)【要約】【課題】  複数の音響入力機器のパラメータを直感的に操作手段に対応付けて制御できるようにする。【解決手段】  マイクＡ，Ｂおよび楽器Ａから入力された音響信号はミキシングエンジン部２９に入力されてミキシング処理されてメインスピーカＬ，Ｒから放音される。マイクＡ，Ｂおよび楽器Ａのステージ５０上の配置位置をメッシュ型センサー群２７および実体位置検出回路２８により検出して、その位置情報を制御部５１に供給する。制御部５１は位置情報に基づいて、操作テーブル５２上にマイクＡ，Ｂおよび楽器Ａのパラメータの値を変更可能なＣＨ１オブジェクト〜ｃｈ３オブジェクトを表示させる。これにより、マイクＡ，Ｂおよび楽器Ａに各オブジェクトを直感的に対応付けてパラメータを制御することができる。【選択図】  図２
2010028620.tif 000002
【特許請求の範囲】
【請求項１】
複数の音響入力機器から入力された音響信号の各々をそれぞれのパラメータに基づいて音響処理する音響処理手段と、
前記複数の音響入力機器の各々の配置位置を検出する位置検出手段と、
該位置検出手段により検出された位置に対応する操作テーブル上の位置に、前記音響入力機器の各々の前記パラメータの値を変更可能なオブジェクトを、前記音響入力機器の各々に対応して設定する設定手段と、
各々の前記音響入力機器の前記パラメータの値を、対応する前記オブジェクトの近傍に表示するパラメータ表示手段と、
を備えたことを特徴とする電子音響システム。
【請求項２】
複数の音響入力機器から入力された音響信号の各々をそれぞれのパラメータに基づいて音響処理する音響処理手段と、
前記複数の音響入力機器の各々の配置位置を検出する位置検出手段と、
該位置検出手段により検出された位置に対応する操作テーブル上の位置に、前記音響入力機器の各々の前記パラメータの値を変更可能なオブジェクトを、前記音響入力機器の各々に対応して設定する設定手段と、
各々の前記オブジェクトに対する操作を検出する操作検出手段と、
該操作検出手段において検出された操作に基づいて、操作が検出された前記オブジェクトに対応する前記音響入力機器の前記パラメータの値を変更するパラメータ変更手段と、
を備えたことを特徴とする電子音響システム。
【請求項３】
前記操作テーブルはタッチパネルとされており、前記設定手段により、前記タッチパネルにおける画面の所定の位置に前記オブジェクトとされる図形が表示されることを特徴とする請求項１あるいは２記載の電子音響システム。
【請求項４】
前記設定手段は、前記操作テーブル上の所定の位置に前記オブジェクトとされる移動および回転可能なパッドを配置するようにしたことを特徴とする請求項１あるいは２記載の電子音響システム。
【発明の詳細な説明】
【技術分野】
【０００１】
この発明は、複数の音響入力機器からの音響信号をパラメータに基づいて処理する際に、パラメータを変更できる電子音響システムに関する。
【背景技術】
【０００２】
従来、多数のマイクロホンあるいは電気・電子楽器などの音響入力機器から出力される音響信号の音量レベルや周波数特性を調整してミキシングし、音量、パン、効果などの音響特性を制御してパワーアンプに送り出すコンサートホール等で使用されるミキサー装置と称される音響信号処理装置（以下、「ミキサー装置」という）が知られている。ミキサー装置を操作するオペレータは、エレキギターやドラム、ボーカル等の音響入力機器からの音響信号の各音響特性を、各系列に対応して備えられた操作子（フェーダやノブ）を操作することにより、演奏を最もふさわしく表現していると思われる状態に調整している。この場合、一般的には、各系列の操作子は整然と並べられており、どの操作子がどの系列の音響入力機器に対応しているか（たとえばどの操作子がボーカル用で、どの操作子がドラム用か、など）が直感的にわからず、各音響入力機器からの音響信号の音響特性を直感的に対応付けて調整することが困難であった。
そこで、上記の不都合を解決する目的で、透明又は半透明のタッチ操作子付きの平面状とされた表示手段をミキサー装置のパネルに立設し、該表示手段を透過して見える演奏者（音響入力機器）と重なるように、該表示手段上に操作子を表示したミキサー装置が従来提案されている。
【特許文献１】特開２００６−２０３３０３号公報
【発明の開示】
【発明が解決しようとする課題】
【０００３】
しかしながら、従来提案されているミキサー装置では、ミキサー装置を操作するオペレータの頭の位置を検出して、該オペレータがどの演奏者（音響入力機器）を見ているかを推定するといった高度な処理が必要とされて、高性能の処理装置が必要とされており、場合によっては音響特性を操作をしたい演奏者ではなく、間違った演奏者を推定してしまう恐れがあった。さらに、操作子は平面状とされた表示手段において各演奏者の位置に対応して表示されることから、操作子をオペレータの好みの位置に配置することができないという問題点もあった。
そこで、本発明は複数の音響入力機器のパラメータを直感的に操作手段に対応付けて制御することができる電子音響システムを提供することを目的としている。
【課題を解決するための手段】
【０００４】
上記目的を達成するために、本発明の電子音響システムは、複数の音響入力機器の各々の配置位置を検出し、検出された位置に対応する操作テーブル上の位置に、音響入力機器の各々に対応するオブジェクトを設定するようにしたことを最も主要な特徴としている。
【発明の効果】
【０００５】
本発明によれば、複数の音響入力機器の各々の配置位置を検出し、検出された位置に対応する操作テーブル上の位置に、音響入力機器の各々に対応するオブジェクトを設定するようにしたことから、各々の音響入力機器に対応するオブジェクトを直感的に対応付けて制御することができるようになる。これにより、日曜日に集まってバンド演奏するような場合に時々しか電子音響システムを操作しない素人がミキシングする場合には好適とすることができる。
【発明を実施するための最良の形態】
【０００６】
本発明の第１実施例にかかる電子音響システム１のブロック構成を示すブロック図を図１に示す。本発明にかかる電子音響システム１は、ステージ上の演奏者が演奏する楽器からの音響信号や、ステージ上の演奏者の歌唱音を拾うマイクからの音響信号等が入力され、これらの音響信号に音響信号処理を施しミキシングしてスピーカ等に出力している。
図１に示す第１実施例の電子音響システム１は、電子音響システム１の全体の動作を管理プログラム（ＯＳ：Operating System）を実行することにより制御するＣＰＵ（Central Processing Unit）１０と、ＣＰＵ１０が実行するミキシング制御プログラム等の動作ソフトウェアが格納されている不揮発性のＲＯＭ（Read Only Member）１１と、ＣＰＵ１０のワークエリアや各種データ等が記憶されるＲＡＭ（Random Access Memory）１２を備えている。ＣＰＵ１０は、ミキシング制御プログラムを実行することにより、入力された複数の音響信号に音響信号処理を施してミキシング処理を行っている。なお、ＲＯＭ１１をフラッシュメモリ等の書き換え可能なＲＯＭとすることで、動作ソフトウェアの書き換えを可能とすることができ、動作ソフトウェアのバージョンアップを容易に行うことができる。また、一定間隔でＣＰＵ１０に対して割り込みを発生させるタイマ１３が備えられている。外部記憶装置１４は、ハードディスク（ＨＤ）、ＦＤ（フレキシブルディスク又はフロッピーディスク（商標）、ＣＤ（コンパクトディスク）−ＲＯＭ、、ＭＯ（Magneto-Optical disk）、ＤＶＤ（ディジタル多目的ディスク）、フラッシュメモリや半導体メモリなどの記憶媒体と、その駆動装置からなり、管理プログラム（ＯＳ）、動作ソフトウェアや各種データが記憶されている。この場合、記憶媒体は着脱可能であってもよいし、電子音響システム１に内蔵されていてもよい。通信Ｉ／Ｆ１５は、外部機器との間でデータ等の授受を行うためのイーサネット(商標)等の通信用のインタフェース（Ｉ／Ｆ）であり、インターネット等の通信ネットワーク１６を介してサーバ装置１７に接続して各種データやプログラム等をダウンロードすることができる。ＭＩＤＩ  Ｉ／Ｆ１８は、ＭＩＤＩ（Musical Instrument Digital Interface）機器１９と接続するためのＭＩＤＩインタフェースであり、ＭＩＤＩインタフェースを有するシンセサイザや音源などと接続することができる。
【０００７】
また、ＬＥＤ表示回路２０は電子音響システム１の調整卓等に設けられているＬＥＤ（Light Emitting Diode）表示器２１を駆動して発光表示させる表示回路であり、設定操作検出回路２２は、電子音響システム１の調整卓等に設けられているフェーダやノブの設定操作子２３をスキャンして、設定操作子２３に対する操作を検出している。検出された操作信号に基づいて音響信号処理に用いるパラメータの値が変更される。タッチパネル２４は、音響信号処理に用いるパラメータの値を制御可能な操作テーブルを構成しており、ディスプレイ表示回路２５により表示されるディスプレイと、タッチ検出回路２６によりタッチ操作された位置が検出されるマトリクス・スイッチ等を備えている。タッチパネル２４のディスプレイには、ステージ上の楽器やマイク等の複数の音響入力機器３０が実際に配置されている位置に対応して、各々の音響入力機器３０を表すオブジェクトとされる図形がディスプレイ表示回路２５によりそれぞれ表示される。これにより、表示されている各図形の表示位置が対応する音響入力機器３０の実際の配置位置を模擬するようになり、各図形と各音響入力機器３０とを直感的に対応付けることができる。これにより、パラメータを変更したい音響入力機器３０に即座に対応する図形を特定することができ、特定した図形に対してタッチパネル２４上において操作を行うことにより、パラメータを変更したい音響入力機器３０のパラメータの値を操作することができる。このように、タッチパネル２４上に表示されたオブジェクトに対してタッチパネル２４上において操作を行うことにより、当該オブジェクトに対応する音響入力機器３０である楽器やマイクのレベルやパン等のパラメータを制御することができる。
【０００８】
メッシュ型センサー群２７は、楽器やマイク等の複数の音響入力機器３０が配置されるステージの床下に設置されている。ステージ上の楽器やマイク等の音響入力機器３０のそれぞれにはＲＦＩＤ３１等のＩＣタグが埋め込まれており、メッシュ型センサー群２７は、ＲＦＩＤ３１から埋め込まれている機器特有の機器固有ＩＤをそれぞれ読み取るセンサー群とされている。実体位置検出回路２８は、メッシュ型センサー群２７で読み取られた機器固有ＩＤの情報から、音響入力機器３０のそれぞれの位置を検出している。なお、メッシュ型センサー群２７を構成している複数のセンサーは、それぞれ電波を用いてＲＦＩＤ３１から機器固有ＩＤを読み取るが、読み取れるのはそのセンサーの近傍に位置するＲＦＩＤ３１のみとされる。実体位置検出回路２８は、機器固有ＩＤを読み取ったセンサーの位置に基づいて各音響入力機器３０の位置を検出しており、検出された複数の音響入力機器３０の各位置の情報に基づいて、ＣＰＵ１０はタッチパネル２４に表示させる各音響入力機器３０に対応する図形の表示位置を算出してディスプレイ表示回路２５を駆動している。これにより、タッチパネル２４に各音響入力機器３０を表す図形がステージ上の各音響入力機器３０の位置に対応して表示されるようになる。
【０００９】
また、ステージ上のマイクやエレキギターや電子キーボード等の複数の音響入力機器３０から出力された音響信号は、ステージ外に配置されたミキシングエンジン部２９における入力信号Ｉ／Ｆ４０の別々の入力チャンネルに入力され、それぞれの音響信号はディジタル信号に変換されてデジタル信号処理回路４２に供給される。デジタル信号処理回路４２は、入力された音響信号の音量レベルや周波数特性をそのパラメータに基づいて調整してミキシングし、音量、パン、効果などの音響特性をそのパラメータに基づいて制御するＤＳＰ（Digital Signal Processor）から構成されている。また、デジタル信号処理回路４２から出力されるミキシング等された音響信号を客席に向けられたメインスピーカ等の複数の音響出力機器３２にアンプを介して出力する出力信号Ｉ／Ｆ４１を備えている。各部はバス３３を介してデータ等の授受を行っている。
このように構成された電子音響システム１において、ユーザがタッチパネル２４からなる操作テーブルに表示されている音響入力機器３０を表す図形に対して所定の操作をすると、電子音響システム１は図形に対する操作を検知し、操作に応じて、その図形に対応する音響入力機器３０に割り当てられたチャンネルの音響特性を制御するパラメータを変更する。ミキシングエンジン部２９は、変更されたパラメータ値に基づいてミキシングレベルや定位等の音響信号処理を実行すると共に、変更されたパラメータ値がタッチパネル２４上の当該図形の近傍に表示される。
【００１０】
次に、本発明の第１実施例にかかる電子音響システム１においてパラメータを変更する態様の概略構成を図２に示す。
図２において、ステージ５０上にはマイクＡを使用して歌唱する演奏者、楽器Ａを演奏する演奏者、マイクＢを使用して歌唱する演奏者が所定の位置に立っている。マイクＡにはＲＦＩＤ３１等のタグ１が埋め込まれており、同様に、楽器Ａにはタグ２が埋め込まれており、マイクＢにはタグ３が埋め込まれている。マイクＡ，Ｂおよび楽器Ａからの音響信号はミキシングエンジン部２９のそれぞれに割り当てられたチャンネルに入力される。ミキシングエンジン部２９では制御部５１の制御の基で、各チャンネルのパラメータに基づいて音量レベルや周波数特性が調整されてミキシングされ、音量、パン、効果などの音響特性が付与されて、ステージ５０の脇に設けられているメインスピーカＬ３２ａおよびメインスピーカＲ３２ｂから、歌唱音や演奏音が客席に向けて出力されるようになる。なお、制御部５１はＣＰＵ１０、ＲＯＭ１１、ＲＡＭ１２等から構成される。
【００１１】
ステージ５０の床下にはマトリクス状に配置された多数のセンサーからなるメッシュ型センサー群２７が設置されており、各センサーでセンシングされた信号は実体位置検出回路２８に入力されている。メッシュ型センサー群２７を構成する各センサーは、電磁誘導方式あるいは電波方式を用いてタグ１〜タグ３を検出している。この場合、各センサーから発せられる磁界変動あるいは電波によって、マイクＡ，Ｂおよび楽器Ａに設けられたタグ１〜タグ３は電力を得て内蔵する回路を作動させ、機器固有ＩＤの情報を送信する。タグ１〜タグ３から送信された機器固有ＩＤの情報は、タグ１〜タグ３の近傍に配置されたセンサーしか受信することができず、受信されたセンサーからは機器固有ＩＤの情報信号が実体位置検出回路２８に送られる。実体位置検出回路２８は、入力された情報信号から機器固有ＩＤを検出し、特定の機器固有ＩＤが一つのセンサーのみから送られた情報信号から検出された場合は、そのセンサーの配置位置に当該機器固有ＩＤに対応するマイクＡ，２あるいは楽器Ａが配置されていると検出する。また、同じ機器固有ＩＤが二つ以上のセンサーから送られた情報信号から検出された場合は、受信レベルの強度の割合に応じたセンサーとセンサーの間の位置に当該機器固有ＩＤに対応するマイクＡ，Ｂあるいは楽器Ａが配置されていると検出する。なお、初期設定にてタグ１〜タグ３の各機器固有ＩＤとマイクＡ，Ｂおよび楽器Ａとの対応付けがされていると共に、マイクＡ，Ｂおよび楽器Ａとされる音響入力機器３０と、音響入力機器３０にそれぞれ割り当てられるミキシングエンジン部２９のチャンネルとが予め対応付けされている。
【００１２】
実体位置検出回路２８において検出されたマイクＡ，Ｂおよび楽器Ａの位置情報は制御部５１に送られて、制御部５１は位置情報に対応するタッチパネル２４上の位置にマイクＡに対応するＣＨ１オブジェクトの図形と、楽器Ａに対応するＣＨ２オブジェクトの図形と、マイクＢに対応するＣＨ３オブジェクトの図形とを表示させるようにディスプレイ表示回路２５を駆動する。タッチパネル２４は操作テーブル５２を構成しており、マイクＡはチャンネル１に割り当てられ、楽器Ａはチャンネル２に割り当てられ、マイクＢはチャンネル３に割り当てられているものとする。これにより、タッチパネル２４にはマイクＡのステージ５０上の配置位置に対応する矩形枠のＣＨ１オブジェクトの図形が左下に、楽器Ａのステージ５０上の配置位置に対応する矩形枠のＣＨ２オブジェクトの図形が中央上に、マイクＢのステージ５０上の配置位置に対応する矩形枠のＣＨ３オブジェクトの図形が右下に表示される。このように、マイクＡ，Ｂおよび楽器Ａのステージ５０の配置位置に対応して操作テーブル５２上にＣＨ１オブジェクト〜ＣＨ３オブジェクトが表示されることから、各オブジェクトとマイクＡ，Ｂおよび楽器Ａとされる音響入力機器３０とを直感的に対応付けることができる。また、マイクＡ，Ｂおよび楽器Ａのステージ５０の配置位置が移動すると、移動した位置が実体位置検出回路２８において検出されることから、この検出信号を受けた制御回路５１は操作テーブル５２上に表示されるＣＨ１オブジェクト〜ＣＨ３オブジェクトを音響入力機器３０の移動に追随させてタッチパネル２４上に表示していくようになる。
【００１３】
また、表示されたＣＨ１オブジェクト〜ＣＨ３オブジェクトを取り囲むように、当該オブジェクトに割り当てられているチャンネルのパラメータ値が表示されている。この表示は、半円形の目盛２４ａと、この目盛に沿って太線の円弧で表示されると共に数値で表示される現在設定されているパラメータ値を表すパラメータ値指示部２４ｂとから構成されている。パラメータは、対応するオブジェクトに割り当てられるチャンネルのミキシングレベル、パンやイコライザ設定値等とされ、図示する例では、各チャンネルのミキシングレベルが表示されている。チャンネル１では−３ｄＢ、チャンネル２では−１０ｄＢ、チャンネル３では０ｄＢのミキシングレベルに設定されている。ＣＨ１オブジェクト〜ＣＨ３オブジェクトでは、当該チャンネルにおける複数種類のパラメータの内の一つのパラメータが選択され、選択されたパラメータ種類に応じてパラメータ値の表示態様が変更される。図２に示すタッチパネル２４上の表示態様は、ミキシングレベルの表示態様とされており、例えばＣＨ１オブジェクトにおいてパンのパラメータが選択された場合は、図２の下部に破線で囲って示したＣＨ１オブジェクト２の表示態様とされる。ＣＨ１オブジェクト２の表示態様では、矩形枠と、矩形枠を取り囲む半円形の目盛２４ａと、この目盛のいずれかの目盛位置を指示する５角形のベース状の図形で現在設定されている定位位置を示すパン指示部２４ｃとからなる表示態様とされる。
【００１４】
タッチパネル２４とされている操作テーブル５２に表示されているＣＨ１オブジェクト〜ＣＨ３オブジェクトの図形に対してユーザがタッチパネル２４の２カ所に指をタッチさせる所定の操作を行うと、操作されたことがタッチ検出回路２６において検出され、検出された操作内容を示す操作情報は制御部５１に送られる。制御部５１は、送られた操作情報から対応するチャンネルにおける変更されたパラメータ値を算出し、変更後の対応するチャンネルのパラメータ値をミキシングエンジン部２９に送ると共に、変更後のパラメータ値を該当するＣＨ１オブジェクト〜ＣＨ３オブジェクトで表示する表示情報をディスプレイ表示回路２５に送り、タッチパネル２４に変更後のパラメータ値が該当するＣＨ１オブジェクト〜ＣＨ３オブジェクトのパラメータ値指示部２４ｂで表示されるようになる。このように、ユーザがタッチパネル２４上に表示されているＣＨ１オブジェクト〜ＣＨ３オブジェクトのいずれかにタッチする操作を行うと、タッチした位置等の情報に基づいてタッチされたオブジェクトのパラメータ値が変更され、そのオブジェクトのパラメータ値指示部２４ｂの表示が変更後のパラメータ値に更新されると共に、変更後のパラメータ値がミキシングエンジン部２９で反映されて当該チャンネルの音響特性であるミキシングレベルや定位位置が変更されるようになる。
【００１５】
次に、本発明の第２実施例にかかる電子音響システム２を説明する。まず、第２実施例の電子音響システム２においてパラメータを変更する態様の概略構成を図４に示す。
図４に示すように、ステージ５０上の構成は図２に示す第１実施例の概略構成と同様とされており、音響入力機器３０とされるマイクＡ、楽器Ａ、マイクＢにはそれぞれＲＦＩＤ３１等のタグ１〜タグ３が埋め込まれている。マイクＡ，Ｂおよび楽器Ａからの音響信号はミキシングエンジン部２９のそれぞれ割り当てられたチャンネルに入力され、各チャンネルのパラメータに基づいて音量レベルや周波数特性が調整されてミキシングされ、音量、パン、効果などの音響特性が付与されて、ステージ５０の脇に設けられているメインスピーカＬ３２ａおよびメインスピーカＲ３２ｂから、歌唱音や演奏音が客席に向けて出力されるようになる。なお、ミキシングエンジン部２９においてマイクＡはチャンネル１に割り当てられ、楽器Ａはチャンネル２に割り当てられ、マイクＢはチャンネル３に割り当てられているものとする。
【００１６】
ステージ５０の床下には多数のセンサーからなるメッシュ型センサー群２７が設置されており、各センサーでセンシングされた信号は実体位置検出回路２８に入力されている。タグ１〜タグ３から送信された機器固有ＩＤの情報を受信したセンサーからの機器固有ＩＤの情報信号は実体位置検出回路２８に入力され、実体位置検出回路２８において、入力された情報信号から機器固有ＩＤに基づいてマイクＡ，Ｂおよび楽器Ａが配置されている位置が前述したように検出される。実体位置検出回路２８において検出されたマイクＡ，Ｂおよび楽器Ａの位置情報は制御部５１に送られて、制御部５１はマイクＡに対応するＣＨ１オブジェクトであるパッド３４−１と、楽器Ａに対応するＣＨ２オブジェクトであるパッド３４−２と、マイクＢに対応するＣＨ３オブジェクトであるパッド３４−３とを、位置情報に対応する操作テーブル５２上のそれぞれの位置に配置させる。この場合、パッド３４−１〜パッド３４−３は自走式パッドとされ、例えば赤外線通信等のワイヤレス通信手段を介して制御部５１から所定の位置への移動指示を受信して、指示された位置へ自動的に移動するようにされている。操作テーブル５２は、パッド３４−１〜パッド３４−３の操作テーブル５２上のそれぞれの位置を検出して制御部５１へフィードバックするための左上隅に設けられた共振タグセンサー３８ａ、右上隅に設けられた共振タグセンサー３８ｂ、下縁中央に設けられた共振タグセンサー３８ｃを備えている。
【００１７】
また、操作テーブル５２はディスプレイ表示回路３６により表示制御される液晶ディスプレイ３５を備えており、液晶ディスプレイ３５にはパッド３４−１〜パッド３４−３を取り囲むように、当該パッドに割り当てられているチャンネルのパラメータ値が表示されている。この表示は、半円形の目盛２４ａと、この目盛に沿って太線の円弧で表示されると共に数値で表示される現在設定されているパラメータ値を表すパラメータ値指示部２４ｂとから構成されている。パラメータは、各パッド３４−１〜パッド３４−３に割り当てられるチャンネルのミキシングレベル、パンやイコライザ設定値等とされ、図示する例では、各チャンネルのミキシングレベルが表示されており、チャンネル１では−３ｄＢ、チャンネル２では−１０ｄＢ、チャンネル３では０ｄＢのミキシングレベルに設定されている。パッド３４−１〜パッド３４−３からなるＣＨ１オブジェクト〜ＣＨ３オブジェクトでは、当該チャンネルにおける複数種類のパラメータの内の一つのパラメータが選択され、選択されたパラメータ種類に応じてパラメータ値の表示態様が変更される。図４に示す液晶ディスプレイ３５上の表示態様は、ミキシングレベルの表示態様とされており、例えばＣＨ１オブジェクトにおいてパンのパラメータが選択された場合は、図４の下部に破線で囲って示したＣＨ１オブジェクト２の表示態様とされる。ＣＨ１オブジェクト２の表示態様では、パッド３４−１はそのままとされ、パッド３４−１を取り囲む半円形の目盛２４ａと、この目盛のいずれかの目盛位置を指示する５角形のベース状の図形で現在設定されている定位位置を示すパン指示部２４ｃとからなる表示態様とされる。
【００１８】
ここで、パッド３４−１〜パッド３４−３の構成例を示す斜視図を図５に示す。図５では内部の構造を透過して示している。なお、パッド３４−１〜パッド３４−３の構成は同様とされていることから、図５ではパッド３４−１〜パッド３４−３をパッド３４として示している。
図５に示すように、パッド３４の外形は円盤状とされており、パッド３４内には球状のトラックボール３４ｃがほぼ中央に設けられている。トラックボール３４ｃはパッド３４を移動させるための手段であり、下部がパッド３４の下面より下方に突出しているトラックボール３４ｃが回転されることにより、その回転方向にパッド３４が移動していくようになる。パッド３４の下面の内側であってトラックボール３４ｃの周囲に駆動部がほぼ直交して設けられているＸ軸モータ３４ｅとＹ軸モータ３４ｄとにより、トラックボール３４ｃは回転駆動することができ、Ｘ軸モータ３４ｅとＹ軸モータ３４ｄの回転方向および速度を制御することによりパッド３４を任意の方向に移動することができる。このように、パッド３４は自走式パッドとされている。また、パッド３４の下面の内側に２つのタグ共振回路３４ａとタグ共振回路３４ｂとが離隔されると共に対向して設けられている。タグ共振回路３４ａ，３４ｂはそれぞれＬＣ共振回路を内蔵しており、タグ共振回路３４ａの共振周波数ｆａとタグ共振回路３４ｂの共振周波数ｆｂは異なるように設定されている。そして、操作テーブル５２に設けられた３つの共振タグセンサー３８ａ〜共振タグセンサー３８ｃの各アンテナから周波数がスキャンされた電波が放射された際に、タグ共振回路３４ａ，３４ｂは共振周波数ｆａ，ｆｂの電波のみを再放射（反射）するようになる。この再放射された電波を３つの共振タグセンサー３８ａ〜共振タグセンサー３８ｃの各アンテナにより受信して、受信信号をパッド位置検出回路３９に供給する。パッド位置検出回路３９は、供給された受信信号の強度や波形から３つの共振タグセンサー３８ａ〜共振タグセンサー３８ｃとタグ共振回路３４ａ，３４ｂとのそれぞれの距離を検出し、検出された各距離情報からパッド３４の位置と向きを算出する。
【００１９】
すなわち、操作テーブル５２上のパッド３４−１〜パッド３４−３のそれぞれの位置と向きは３つの共振タグセンサー３８ａ〜共振タグセンサー３８ｃとパッド位置検出回路３９により検出される。この場合、パッド３４−１の２つの共振タグセンサーの共振周波数はｆａ，ｆｂとされ、パッド３４−２の２つの共振タグセンサーの共振周波数はｆｃ，ｆｄとされ、パッド３４−３の２つの共振タグセンサーの共振周波数はｆｅ，ｆｇとされているものとし、パッド３４−１〜パッド３４−３がそれぞれ２つずつ備える共振タグセンサーの共振周波数は互いに異なるようにされている。そして、３つの共振タグセンサー３８ａ〜共振タグセンサー３８ｃは、それぞれ所定の周期毎に周波数スキャンされた電波を放射することで、パッド３４−１〜パッド３４−３における合計６つのタグ共振回路３４ａ，３４ｂ・・・・の共振周波数ｆａ，ｆｂ，ｆｃ，ｆｄ，ｆｅ，ｆｇにおける反射波をそれぞれ受信して受信信号をパッド位置検出回路３９に供給している。パッド位置検出回路３９は、３つの共振タグセンサー３８ａ〜共振タグセンサー３８ｃからの受信信号に基づいてそれぞれのパッドにおける２つのタグ共振回路のそれぞれの位置を検出して、検出された２つのタグ共振回路の位置情報から当該パッドの位置と向きとを算出している。このようにして、パッド位置検出回路３９により得られたパッド３４−１〜パッド３４−３のそれぞれの位置と向きの情報は制御部５１にフィードバックされて、制御部５１は実体位置検出回路２８で検出されたマイクＡ，マイクＢおよび楽器Ａが配置されている位置へ対応するよう操作テーブル５２上においてパッド３４−１〜パッド３４−３を自動的に移動させて配置するようにしている。また、マイクＡ，Ｂおよび楽器Ａのステージ５０の配置位置が移動すると、移動した位置が実体位置検出回路２８において検出されることから、この検出信号を受けた制御回路５１は操作テーブル５２上に表示されるパッド３４−１〜３４−３を音響入力機器３０の移動に追随させてタッチパネル２４上で移動させていくようになる。
【００２０】
これにより、操作テーブル５２上にはマイクＡのステージ５０上の配置位置に対応するＣＨ１オブジェクトのパッド３４−１が左下に、楽器Ａのステージ５０上の配置位置に対応するＣＨ２オブジェクトのパッド３４−２が中央上に、マイクＢのステージ５０上の配置位置に対応するＣＨ３オブジェクトのパッド３４−３が右下に配置される。このように、マイクＡ，Ｂおよび楽器Ａのステージ５０の配置位置に対応して操作テーブル５２上にＣＨ１オブジェクト〜ＣＨ３オブジェクトが表示されることから、各オブジェクトであるパッド３４−１〜パッド３４−３とマイクＡ，Ｂおよび楽器Ａとされる音響入力機器３０とを直感的に対応付けることができる。
【００２１】
操作テーブル５２上の所定の位置に配置されたＣＨ１オブジェクト〜ＣＨ３オブジェクトとされているパッド３４−１〜パッド３４−３のいずれかをユーザが摘んで図４に示すように回転操作を行うと、回転操作されたパッドの向きが変更されたことがパッド位置検出回路３９において検出され、検出された変更後の向きを示す操作情報は制御部５１に送られる。制御部５１は、パッド３４−１〜パッド３４−３を回転させることによりパラメータ値を変更できる操作摘みに見立てており、送られたパッドの回転後の向きを表す操作情報から対応するチャンネルにおける変更されたパラメータ値を算出し、変更後の対応するチャンネルのパラメータ値をミキシングエンジン部２９に送る。さらに、変更後のパラメータ値を該当するＣＨ１オブジェクト〜ＣＨ３オブジェクトで表示する表示情報をディスプレイ表示回路３６に送り、液晶ディスプレイ３５に変更後のパラメータ値が該当するＣＨ１オブジェクト〜ＣＨ３オブジェクトのパラメータ値指示部２４ｂで表示されるようになる。このように、ユーザが操作テーブル５２上に配置されているＣＨ１オブジェクト〜ＣＨ３オブジェクトのパッド３４−１〜パッド３４−３を回転させる操作を行うと、回転後のパッドの向きの情報に基づいて回転操作されたパッドに割り当てられたパラメータ値が変更され、そのオブジェクトにおけるパラメータ値指示部２４ｂの表示が変更後のパラメータ値に更新されると共に、変更後のパラメータ値がミキシングエンジン部２９で反映されて当該チャンネルの音響特性であるミキシングレベルや定位位置が変更されるようになる。
【００２２】
次に、本発明の第２実施例にかかる電子音響システム２のブロック構成を示すブロック図を図３に示す。第２実施例の電子音響システム２は、操作テーブル５２に関連する構成が異なるだけで、その他の構成は第１実施例の電子音響システム１と同様とされていることから、操作テーブル５２に関連する構成について説明し、それ以外の構成の説明は省略する。
図３に示す第２実施例の電子音響システム２において、液晶ディスプレイ３５は、電子音響システム２の各チャンネルの音響特性を制御可能な操作テーブル５２を構成しており、ディスプレイ表示回路３６によりパラメータ値等を表示する所定の画像が表示される。液晶ディスプレイ３５の上面とされる操作テーブル５２上には、ステージ５０上の楽器やマイク等の複数の音響入力機器３０が実際に配置されている位置に対応して、各々の音響入力機器３０を表す複数のパッド３４が自動的に配置される。この場合のマイクＡ，Ｂおよび楽器Ａのステージ５０上の配置位置は、ステージ５０の床下に配設されたメッシュ型センサー群２７および実体位置検出回路２８により検出され、複数のパッド３４の操作テーブル５２上の位置は、操作テーブル５２上に設けられた例えば３つのタグセンサーを備える共振タグセンサー群３８およびパッド位置検出回路３９により検出される。そして、ＣＰＵ１０を含む制御部５１が実体位置検出回路２８等により検出された音響入力機器３０の配置位置に、パッド位置検出回路３９等により検出された位置が対応するように、複数のパッド３４の移動制御を行っている。
【００２３】
制御部５１からの各パッド３４への移動制御の指示はパッド指示赤外線Ｉ／Ｆ３７を介してワイヤレスで行われている。各パッド３４は、指示受信赤外線Ｉ／Ｆ４６を備えパッド指示赤外線Ｉ／Ｆ３７から送信された移動制御の指示情報を受信し、この指示情報を制御回路４５に供給する。制御回路４５は、指示情報に応じてＸ軸モータ３４ｅおよびＹ軸モータ３４ｄの駆動制御を行うことにより、指示情報で指示された位置にパッド３４が移動していくようになる。なお、各パッド３４は当該パッド３４の位置と向きを検出するための２つのタグ共振回路３４ａ，３４ｂを備えている。
第２実施例の電子音響システム２においては、操作テーブル５２上に配置されている各パッド３４−１〜パッド３４−３に対応するステージ５０上の音響入力機器３０をそれぞれ直感的に対応付けることができる。そして、このパッド３４−１〜パッド３４−３に対して操作テーブル５２上において回転操作を行うことにより、パッド３４−１〜パッド３４−３のそれぞれに対応する音響入力機器３０が割り当てられたチャンネルのパラメータの値を操作することができる。このように、操作テーブル５２上に配置されたオブジェクトに対して操作テーブル５２上において操作を行うことにより、当該オブジェクトに対応する音響入力機器３０である楽器やマイクのレベル等を制御することができる。
【００２４】
次に、本発明にかかる電子音響システムにおいて電源が投入された際にＣＰＵ１０がＯＳ上で実行する電源投入処理のフローチャートを図６に示す。
電子音響システムにおいて電源が投入されると図６に示す電源投入処理が起動され、ステップＳ１０にてミキシングエンジン部２９の初期設定が行われる。初期設定では、シーンメモリから読み出された設定データがミキシングエンジン部２９に設定されたり、前回設定した設定データがミキシングエンジン部２９に設定されて、所望の音響特性が付与されたミキシング信号がミキシングエンジン部２９から出力可能とされる。初期設定が終了するとステップＳ１１にてステージ５０上に実際に配置されているマイクＡ，Ｂや楽器Ａの音響入力機器３０の各々と、それぞれ特有の機器固有ＩＤを有する各ＲＦＩＤ３１との対応付けが行われると共に、音響入力機器３０（機器固有ＩＤ）にそれぞれ割り当てられるチャンネルとの対応付けが行われ、対応付けの結果はテーブルとして記憶される。次いで、ステップＳ１２にて音響入力機器３０のステージ５０上のそれぞれの現在位置を検出する実体位置検出処理が行われる。さらに、ステップＳ１３にてタッチパネル２４に表示された図形に対する操作を検出するタッチ検出処理あるいは操作テーブル５２上のパッド３４に対する操作を検出するパッド検出処理を行う検出処理が行われる。この検出処理で検出された操作情報により、ステップＳ１４においてミキシングエンジン部２９に設定されるパラメータを更新するパラメータ変更処理が行われ、続いて、ステップＳ１５において表示されるパラメータ値を更新するパラメータ表示処理が行われる。ステップＳ１２ないしステップＳ１５の処理は電源がオフされるまで繰り返し実行され、ミキシングエンジン部２９で音響信号処理する際に用いるパラメータを随時に変更することができるようになる。
【００２５】
次に、電源投入処理のステップＳ１２において実行される実体位置検出処理のフローチャートを図７に示す。
図７に示す実体位置検出処理がスタートされると、ステップＳ２０にてこの処理を行う対象チャンネルの順番が決められ、決められた順となった対象チャンネルに対応する機器固有ＩＤが、ステップＳ１１において記憶されたテーブルを参照することによりステップＳ２１にて取得される。次いで、ステップＳ２２にて実体位置検出回路２８により対象チャンネルに対応する機器固有ＩＤとされているＲＦＩＤ３１の位置を検出することにより対象チャンネルに対応する音響入力機器３０の位置を検出する。次いで、検出された対象チャンネルの音響入力機器３０の位置に対応して設定する図形あるいはパッド３４とされるオブジェクトの目標位置がステップＳ２３にて算出される。そして、検出された対象チャンネルにおける音響入力機器３０の位置情報および対応するオブジェクトの目標位置情報が対象チャンネルに関連付けてステップＳ２４にて一時記憶される。次いで、ステップＳ２５にて全てのチャンネルにおいて上記した処理が行われたか否かが判断される。ここで、全てのチャンネルにおいて上記した処理が行われていないと判断された場合は、ステップＳ２０に戻り次の順とされているチャンネルに対して上記した処理が行われ、全てのチャンネルにおいて上記した処理が行われるまでステップＳ２０ないしステップＳ２５の処理が繰り返し行われる。そして、ステップＳ２５にて全てのチャンネルにおいて上記した処理が行われたと判断された場合は実体位置検出処理が終了し、電源投入処理のステップＳ１３へリターンされる。
【００２６】
次に、第１実施例の電子音響システム１であった場合に電源投入処理のステップＳ１３において実行されるタッチ検出処理のフローチャートを図８に示す。
図８に示すタッチ検出処理がスタートされると、ステップＳ６０にてこの処理を行う対象チャンネルの順番が決められる。次いで、決められた順となった対象チャンネルにおけるオブジェクトとされる矩形枠状の図形の表示位置が電源投入処理のステップＳ１２において実行される実体位置検出処理において得られたオブジェクト目標位置に基づいてステップＳ６１にて更新される。そして、表示位置が更新された対象チャンネルにおける図形の近傍にタッチされている２点の向きをステップＳ６２にて検出する処理が行われる。次いで、ステップＳ６２の処理において図形の近傍にタッチされている２点が検出されて２点の向きが検出されたか否かがステップＳ６３にて判断される。ここで、図形の近傍にタッチされている２点が検出されて２点の向きが検出された場合は、ステップＳ６４へ進み検出された向きが記憶されてステップＳ６５へ進む。また、図形の近傍にタッチされている２点が検出されなかったり、２点の向きが検出されなかった場合はステップＳ６４の処理はスキップされてステップＳ６５へ分岐する。ステップＳ６５では全てのチャンネルにおいて上記した処理が行われたか否かが判断される。ここで、全てのチャンネルにおいて上記した処理が行われていないと判断された場合は、ステップＳ６０に戻り次の順とされているチャンネルに対して上記した処理が行われ、全てのチャンネルにおいて上記した処理が行われるまでステップＳ６０ないしステップＳ６５の処理が繰り返し行われる。そして、ステップＳ６５にて全てのチャンネルにおいて上記した処理が行われたと判断された場合はタッチ検出処理が終了し、電源投入処理のステップＳ１４へリターンする。
【００２７】
次に、第２実施例の電子音響システム２であった場合に電源投入処理のステップＳ１３において実行されるパッド検出処理のフローチャートを図９に示す。
図９に示すパッド検出処理がスタートされると、パッド位置検出回路３９が共振タグセンサー３８ａ〜３８ｃを用いて周波数スキャンを行うことにより、パッド３４−１〜３４−３が２つずつ備えるタグ共振回路からの反射波を検出する処理がステップＳ３０にて行われる。次いで、ステップＳ３１にてこの処理を行う対象チャンネルの順番が決められる。そして、決められた順となった対象チャンネルにおけるパッド３４に備えられている２つのタグ共振回路３４ａ，３４ｂの位置が、ステップＳ３０の処理におけるスキャン結果である反射波の検出信号を解析することにより求められる。求められた対象チャンネルにおける２つのタグ共振回路３４ａ，３４ｂの位置情報から、ステップＳ３４にて対象チャンネルにおけるパッド３４の現在位置と向きとを算出し、算出されたパッド３４の現在位置と向きの情報を記憶する。そして、算出されたパッド３４の現在位置の情報と対象チャンネルにおけるオブジェクトであるパッド３４を配置する目標位置との差ベクトルがステップＳ３５にて求められる。次いで、求めた差ベクトルの大きさと方向およびパッド３４の現在の向きに応じてＸ軸モータ３４ｅとＹ軸モータ３４ｄとを駆動する移動指示をパッド３４に赤外線通信で送信し、パッド３４において受信された移動指示情報に基づいてＸ軸モータ３４ｅとＹ軸モータ３４ｄとが駆動されて、対象チャンネルのパッド３４が目標位置へ移動していくようになる。続いて、ステップＳ３７にて全てのチャンネルにおいて上記した処理が行われたか否かが判断される。ここで、全てのチャンネルにおいて上記した処理が行われていないと判断された場合は、ステップＳ３０に戻り次の順とされているチャンネルに対して上記した処理が行われ、全てのチャンネルにおいて上記した処理が行われるまでステップＳ３０ないしステップＳ３７の処理が繰り返し行われる。そして、ステップＳ３７にて全てのチャンネルにおいて上記した処理が行われたと判断された場合はパッド検出処理が終了し、電源投入処理のステップＳ１４へリターンする。
【００２８】
次に、電源投入処理のステップＳ１４において実行されるパラメータ変更処理のフローチャートを図１０に示す。
図１０に示すパラメータ変更処理がスタートされると、ステップＳ４０にてこの処理を行う対象チャンネルの順番が決められる。そして、決められた対象チャンネルのオブジェクトの向きが前回処理されたときから変更されているか否かがステップＳ４１にて判断される。このステップＳ４１では、タッチ検出処理のステップＳ６３にて記憶された向きの情報あるいはパッド検出処理のステップＳ３４にて記憶された向きの情報が、前回処理時の向きの情報から変更されているか否かを判断することにより行われる。ここで、対象チャンネルのオブジェクトの向きが前回処理されたときから変更されていると判断された場合は、ステップＳ４２へ進み向きの変更分が反映されたパラメータを算出する。次いで、算出されたパラメータをステップＳ４３にてミキシングエンジン部２９へ供給されてパラメータが更新され、更新されたパラメータを用いて音響信号処理が行われるようになる。さらに、ステップＳ４４にて記憶された向きの情報が変更後の向きの情報に更新され、ステップＳ４５へ進む。また、ステップＳ４１にて対象チャンネルのオブジェクトの向きが前回処理されたときから変更されていないと判断された場合は、ステップＳ４５へ分岐し、全てのチャンネルにおいて上記した処理が行われたか否かがステップＳ４５で判断される。ここで、全てのチャンネルにおいて上記した処理が行われていないと判断された場合は、ステップＳ４０に戻り次の順とされているチャンネルに対して上記した処理が行われ、全てのチャンネルにおいて上記した処理が行われるまでステップＳ４０ないしステップＳ４５の処理が繰り返し行われる。そして、ステップＳ４５にて全てのチャンネルにおいて上記した処理が行われたと判断された場合はパラメータ変更処理が終了し、電源投入処理のステップＳ１５へリターンする。
【００２９】
次に、電源投入処理のステップＳ１５において実行されるパラメータ表示処理のフローチャートを図１１に示す。
図１１に示すパラメータ表示処理がスタートされると、ステップＳ５０にてこの処理を行う対象チャンネルの順番が決められる。そして、決められた対象チャンネルにおけるパラメータが設定されているミキシングエンジン部２９から該当するパラメータがステップＳ５１にて取得され、取得されたパラメータの値がステップＳ５２にて対象チャンネルのオブジェクトの近傍に表示される。この場合の対象チャンネルのオブジェクトの位置は、実態位置検出処理のステップＳ２４において記憶されている当該オブジェクトの目標位置とされる。次いで、全てのチャンネルにおいて上記した処理が行われたか否かがステップＳ５３で判断される。ここで、全てのチャンネルにおいて上記した処理が行われていないと判断された場合は、ステップＳ５０に戻り次の順とされているチャンネルに対して上記した処理が行われ、全てのチャンネルにおいて上記した処理が行われるまでステップＳ５０ないしステップＳ５３の処理が繰り返し行われる。そして、ステップＳ５３にて全てのチャンネルにおいて上記した処理が行われたと判断された場合はパラメータ表示処理が終了し、電源投入処理のステップＳ１２へリターンする。
【産業上の利用可能性】
【００３０】
以上説明した本発明において、音響入力機器３０はドラム等のアコースティック楽器やボーカルのや音を拾うマイク、電子楽器等とすることができる。また、ステージ５０上の音響入力機器３０の位置をメッシュ型センサー群２７および実体位置検出回路２８により検出するようにしたが、これに限ることはなくステージ５０上方に設置したカメラにてステージ５０上を撮像し、画像認識処理を行うことにより音響入力機器３０の輪郭を識別することによりその位置を検出するようにしてもよい。この場合、画像認識処理を所定の周期ごとに行うようにして、音響入力機器３０の移動を追跡するようにする。
さらに、第２実施例の電子音響システム２において操作テーブル５２は液晶ディスプレイ３５を備えていたが、これに替えてスクリーンを備えるようにして、スクリーンに上方や下方から映像を照射することで、ステージ５０上の各音響入力機器３０に対応して配置されたパッド３４−１〜３４−３の近傍に、対応するチャンネルのパラメータを表示するようにしてもよい。さらにまた、パッド３４を自走式としたが、これに替えて、操作テーブル５２を弾性表面波モータで構成したり、パッド３４と操作テーブル５２とで平面リニアモータを構成してもよい。あるいは、バルクマイクロマシニングによるアレイ型エアーフローアクチェータを操作テーブル５２に敷き詰めて、パッド３４を移動させるようにしてもよい。さらにまた、操作テーブル５２に設ける共振タグセンサーは３つに限るものではなく、２つでも４つ以上としてもよい。
【図面の簡単な説明】
【００３１】
【図１】本発明の第１実施例にかかる電子音響システムのブロック構成を示すブロック図である。
【図２】本発明の第１実施例にかかる電子音響システムにおいてパラメータを変更する態様の概略構成を示す図である。
【図３】本発明の第２実施例にかかる電子音響システムのブロック構成を示すブロック図である。
【図４】本発明の第２実施例にかかる電子音響システムにおいてパラメータを変更する態様の概略構成を示す図である。
【図５】本発明の第２実施例にかかる電子音響システムにおけるパッドの構成例を示す斜視図である。
【図６】本発明の電子音響システムにおいて電源が投入された際にＣＰＵが実行する電源投入処理のフローチャートである。
【図７】本発明の電子音響システムにおける電源投入処理のステップＳ１２において実行される実体位置検出処理のフローチャートである。
【図８】本発明の電子音響システムが第１実施例であった場合に電源投入処理のステップＳ１３において実行されるタッチ検出処理のフローチャートである。
【図９】本発明の電子音響システムが第２実施例であった場合に電源投入処理のステップＳ１３において実行されるパッド検出処理のフローチャートである。
【図１０】本発明の電子音響システムにおける電源投入処理のステップＳ１４において実行されるパラメータ変更処理のフローチャートである。
【図１１】本発明の電子音響システムにおける電源投入処理のステップＳ１５において実行されるパラメータ表示処理のフローチャートである。
【符号の説明】
【００３２】
１  電子音響システム、２  電子音響システム、１０  ＣＰＵ、１１  ＲＯＭ、１２  ＲＡＭ、１３  タイマ、１４  外部記憶装置、１５  通信Ｉ／Ｆ、１６  通信ネットワーク、１７  サーバ装置、１８  ＭＩＤＩ  Ｉ／Ｆ、１９  ＭＩＤＩ機器、２０  ＬＥＤ表示回路、２１  ＬＥＤ表示器、２２  設定操作検出回路、２３  設定操作子、２４  タッチパネル、２４ａ  目盛、２４ｂ  パラメータ値指示部、２４ｃ  パン指示部、２５  ディスプレイ表示回路、２６  タッチ検出回路、２７  メッシュ型センサー群、２８  実体位置検出回路、２９  ミキシングエンジン部、３０  音響入力機器、３１  ＲＦＩＤ、３２  音響出力機器、３２ａ  メインスピーカＬ、３２ｂ  メインスピーカＲ、３３  バス、３４  パッド、３４ａ  タグ共振回路、３４ｂ  タグ共振回路、３４ｃ  トラックボール、３４ｄ  Ｙ軸モータ、３４ｅ  Ｘ軸モータ、３５  液晶ディスプレイ、３６  ディスプレイ表示回路、３７  パッド指示赤外線Ｉ／Ｆ、３８  共振タグセンサー群、３８ａ，３８ｂ，３８ｃ  共振タグセンサー、３９  パッド位置検出回路、４０  入力信号Ｉ／Ｆ、４１  出力信号Ｉ／Ｆ、４２  デジタル信号処理回路、４５  制御回路、４６  指示受信赤外線Ｉ／Ｆ、５０  ステージ、５１  制御部、５２  操作テーブル
【図１】
2010028620.tif 000003
【図２】
2010028620.tif 000004
【図３】
2010028620.tif 000005
【図４】
2010028620.tif 000006
【図５】
2010028620.tif 000007
【図６】
2010028620.tif 000008
【図７】
2010028620.tif 000009
【図８】
2010028620.tif 000010
【図９】
2010028620.tif 000011
【図１０】
2010028620.tif 000012
【図１１】
2010028620.tif 000013